(57)【要約】【課題】  表示画面が大きい固定型のテレビ受信装置に対する高精細・高画質のテレビ放送と、携帯端末装置に対するテレビ放送とを同時に利用して利便性の高い視聴を享受する。【解決手段】  携帯電話装置１は、テレビ放送のチャンネルを操作に応じて選択するテンキースイッチと、通常受信モード、２系統受信モード等が表示部４に表示された状態において、操作に応じて１つのモードを決定する決定スイッチと、２系統受信モードが決定された場合には、カーソルスイッチの操作に応じて選択されたチャンネルのテレビ放送を受信してそのテレビ放送の画面を表示部４に表示し、テンキースイッチの操作に応じて外部のテレビ受信装置が受信するテレビ放送のチャンネルを選択するための赤外線信号を赤外線通信部１１１から送信させる。【選択図】    図３
2009246570.tif 000002
【特許請求の範囲】
【請求項１】
テレビ放送を受信する携帯端末装置であって、
受信するテレビ放送の画像を表示する表示部と、
外部のテレビ受信装置を制御するための無線信号を送信する無線送信部と、
テレビ放送のチャンネルを操作に応じて選択する第１系統のチャンネル選択スイッチと、
テレビ放送のチャンネルを操作に応じて選択する第２系統のチャンネル選択スイッチと、
通常受信モード、２系統受信モード、連結受信モードが前記表示部に表示された状態において、操作に応じていずれか１つのモードを受信候補として選択する選択スイッチと、
前記選択スイッチによって選択されたモードを操作に応じて決定する決定スイッチと、
前記決定スイッチによって前記通常受信モードが決定された場合には、前記第１系統のチャンネル選択スイッチ又は前記第２系統のチャンネル選択スイッチの操作に応じて受信するテレビ放送のチャンネルを選択して当該選択に係るテレビ放送の画面を前記表示部に表示し、前記決定スイッチによって前記２系統受信モードが決定された場合には、前記第１系統のチャンネル選択スイッチの操作に応じて選択されたチャンネルのテレビ放送を受信して当該選択に係るテレビ放送の画面を前記表示部に表示し、前記第２系統のチャンネル選択スイッチの操作に応じて前記外部のテレビ受信装置が受信するテレビ放送のチャンネルを選択するための無線信号を前記無線送信部から送信させる制御部と、
を備えたことを特徴とするテレビ放送を受信する携帯端末装置。
【請求項２】
前記制御部は、前記２系統受信モードにおいて前記決定スイッチが操作される毎に、前記外部のテレビ受信装置が受信中のテレビ放送のチャンネルを選択すると共に受信中のテレビ放送のチャンネルを前記外部のテレビ受信装置が選択するための無線信号を前記無線送信部から送信させることを特徴とする請求項１に記載のテレビ放送を受信する携帯端末装置。
【請求項３】
前記決定スイッチによって前記連結受信モードが決定された場合には、前記制御部は、前記表示部の表示を停止し、前記外部のテレビ受信装置の音声の発音を停止させるための無線信号を前記無線送信部から送信させ、前記第１系統のチャンネル選択スイッチ又は前記第２系統のチャンネル選択スイッチの操作に応じて、受信するテレビ放送のチャンネルを選択して当該選択に係るテレビ放送の音声信号を出力すると共に、前記外部のテレビ受信装置が受信するテレビ放送のチャンネルを選択するための無線信号を前記無線送信部から送信させることを特徴とする請求項１に記載のテレビ放送を受信する携帯端末装置。
【発明の詳細な説明】
【技術分野】
【０００１】
本発明は、テレビ放送を受信する携帯端末装置及びその携帯端末装置を装着するヘッドホン装置に関するものである。
【背景技術】
【０００２】
日本国内において、２０１１年からは、これまで放送されていたすべてのアナログ地上波放送が地上波デジタル放送に切り替わる。この地上波デジタル放送では、ＯＦＤＭ（直交周波数分割多重）方式によって、映像情報、音声情報、および文字情報の複数種類の情報を多重化して、約６ＭＨｚの帯域を１３セグメントに分割して伝送する。この１３セグメントの中から１０セグメント乃至１３セグメントを用いて、表示画面が大きい固定型のテレビ受信装置に対する高精細・高画質のＨＤＴＶ（ハイビジョンテレビ放送）を送信する。さらに、１３セグメントの中の１セグメントを用いて、携帯電話装置、ＰＤＡ（Personal Digital Assistants）、可搬型のテレビ受信装置、カーナビなどの表示画面が小さい移動体向けの地上波デジタル放送が予定されている。特に、１セグメントの地上波デジタル放送を受信する携帯電話装置は、いわゆる「ワンセグ」携帯電話装置として既に商品化されて販売されている。
【０００３】
テレビ放送に関連する携帯端末装置については、これまで多くの提案がなされている。
例えば、ある提案のリモコン装置においては、ケーブルによってヘッドホン装置とテレビ受信装置とを接続することなく、且つ、音質の劣化が生じる赤外線による無線信号を使用しないようにするために、テレビジョン受像機を操作するリモコン装置に、テレビジョン受信チューナとスピーカなどの音響変換機を内蔵して、視聴するテレビジョン受信機が受信する放送チャンネルと同じチャンネルを受信し、復調した音響信号をリモコン装置内蔵の音響変換器から発音する。この場合において、地上波デジタル放送を受信する携帯電話機にテレビジョン受信機用リモコンを内蔵すれば、音響信号出力のみを聴取し、映像はテレビジョン受信機の大型ディスプレイで見ることができると記載されている。（特許文献１参照）
【０００４】
また、ある提案の携帯電話装置においては、ＥＰＧ（電子プログラムガイド）を用いることなく、携帯電話に装備されているダイヤルプッシュボタンをテレビ番組の選局に用いる構成とすることで、効率よい他チャンネルの選択と、現在の番組視聴を妨げることなく他チャンネルのテレビ番組を得るために、携帯電話送受信波と地上波デジタル放送波を送受信するアンテナ部と、前記アンテナ部で受信した前記地上波デジタル放送波を受信する受信部と、テレビ番組を表示することができるディスプレイ部と、数値又は記号を含む番号を入力することができる入力ボタンと、テレビ番組の選局の制御を行う携帯テレビ制御部と、携帯電話を送受信するモードとテレビ番組を視聴するモードを切換えるためのモード切換え制御手段と、を備え、前記入力ボタンが、前記モード切換え制御手段により、前記テレビ番組を視聴するモードにある場合に、前記テレビ番組のチャンネル選局ボタンとして使用される。この場合において、さらに、前記入力ボタンが、２段階押しができる入力ボタンと、前記ディスプレイの空きスペース、又は現在視聴している映像の端部に情報表示部と、を備え、前記情報表示部は、前記入力ボタンを半押ししたときに、現在放送している番組の情報を前記ディスプレイの空きスペース、又は現在視聴している映像の端部に表示し、ユーザに知らせ、ボタンが全押しされたらそのチャンネルを受信する裏番組を確認する構成になっている。（特許文献２参照）
【０００５】
また、ある提案の無線通信端末装置においては、その無線通信端末装置を通常のＴＶリモコンとして使用したときに、音声だけを無線通信端末装置から出力するために、無線通信端末装置がＴＶ（テレビ）受信機能と、赤外線によって外部のＴＶ受信装置を操作するＴＶリモコン機能とを備え、通常リモコンモード又はイヤホンモードで使用できることが記載されている。イヤホンモードで使用した場合には、端末側では画像表示を行わずＴＶ画像は外部のＴＶ受信装置で確認し、音声だけをレシーバ側より出力させる構成になっている。（特許文献３参照）
【０００６】
また、ある提案の映像音声再生装置においては、テレビの画面以外にリモコンにも画面を実装し、２つの画面の表示内容をリモコンで簡単に制御するために、特に、図４乃至図９に示されているように、外部のテレビ受信装置の主画面４０２を遠隔操作で制御するためのリモコン４０３の特徴的な構成が記載されてある。すなわち、リモコン４０３は、独立スイッチ４０７、同期スイッチ４０８、上下左右決定スティック４０９、ダイレクト選択ボタン４１０、チャンネルアップダウンスイッチ４１１、及び副画面４１４を備えている。ダイレクト選択ボタン４１０、チャンネルアップダウンスイッチ４１１は、主画面４０２のチャンネルを選択するためのスイッチである。一方、上下左右決定スティック４０９は、図１０に示されているように、副画面４１４に表示されるＧＵＩなどを操作するスイッチである。ユーザは、副画面４１４に表示されている画像を上下左右決定スティック４０９により選択し、同期スイッチ４０８をオンにすることで、副画面４１４の画像を主画面４０２に表示できるようになっている。この場合において、ダイレクト選択ボタン４１０及びチャンネルアップダウンスイッチ４１１は主画面専用のスイッチであり、上下左右決定スティック４０９は副画面専用のスイッチである。（特許文献４参照）
【０００７】
また、市販されているある携帯電話装置の取扱説明書においては、受信するテレビのチャンネルを選択する場合に、テンキー及び順送りキーのいずれかの操作によって、受信するデジタルテレビのチャンネルを直接又は順次選択できることが記載されている。（非特許文献１参照）
【０００８】
また、ある特許発明のリモコン装置においては、電力消費の無駄や受像管の寿命低下を招くことなく、所望の番組の見たい場面を簡単確実に選択表示するために、大型テレビ１０の構成（図１）及びリモコン装置２０の構成（図２、図６）が記載されてある。リモコン装置２０のキー入力部２２には、図６に示されているように、モード切換えスイッチ２２ａ、チャンネル選択キー（テンキー）２２ｃ、チェンジキー２２ｆが設けられている。モード切換えスイッチ２２ａは、大型テレビ１０に対して各種リモコン信号を送信するためのリモコンモードＲＣと、リモコン側テレビによる放送受信動作を操作するためのテレビモードＬＣＤ・ＴＶとを切り換えるものである。チェンジキー２２ｆは、リモコン装置２０に表示されているテレビ放送を大型テレビ１０で見るときに操作されるスイッチである。（特許文献５参照）
【０００９】
また、ある提案のＴＶ受信及びリモコン機能付き携帯電話機においては、図２及び図４に示されているように、携帯電話機１０の表示部１４に１２チャンネル分のテレビ放送の全ての画面をサムネイル表示し、操作部１５の「１」〜「０」のボタンを操作するか、あるいは、方向選択ボタン１５−１を操作して所望のチャンネルに合わせた後、決定ボタン１５−２を操作することにより、外部のテレビ受信装置３０に表示されるテレビ放送のチャンネルを選択する構成になっている。（特許文献６参照）
【特許文献１】特開２００５−１１０１８９号公報
【特許文献２】特開２００５−０４５３５０号公報
【特許文献３】特開２００５−０８００２２号公報
【特許文献４】特開２００３−３３３３６２号公報
【特許文献５】特許第３２８９３８８号（特開平０６−３０３４５２号公報）
【特許文献６】特開２００５−１５０８３１号公報
【非特許文献１】ＦＯＭＡ  Ｐ９０１ｉＴＶ、ＮＴＴ  ＤｏＣｏＭｏグルー、第５版、２００６年８月
【発明の開示】
【発明が解決しようとする課題】
【００１０】
しかしながら、上記特許文献１〜特許文献６及び非特許文献１に記載された発明及び技術においては、表示画面が大きい固定型のテレビ受信装置に対する高精細・高画質のテレビ放送と、２系統のチャンネル選択スイッチを有する携帯端末装置に対するテレビ放送とを同時に利用して、利便性の高い視聴を享受することは実現されていなかった。
【００１１】
例えば、特許文献１においては、課題を解決する手段の項において、地上波デジタル放送を受信する携帯電話機にテレビジョン受信機用リモコンを内蔵すれば、音響信号出力のみを聴取し、映像はテレビジョン受像機の大型ディスプレイで見ることになると記載されているが、実施形態においてその構成が具体的に記載されてはおらず、単に願望が記載されているに過ぎない。また、携帯電話装置が具備している２系統のチャンネル選択スイッチを有効に活用する構成にはなっていない。
【００１２】
また、特許文献２においては、２段押しができる入力ボタンが記載されているが、このためにはスイッチの構成を変更する必要があるので、現在のハードウェア資源である２系統のチャンネル選択スイッチを有効に活用することができない。さらに、スイッチの押下ストロークが大きくなるので、装置の薄型化の障害になるという新たな課題が発生する。さらにまた、「２段押し」の微妙な操作が必要であるため、使用者が若者等に限定されてしまう。
【００１３】
また、特許文献３においては、無線通信端末装置がテレビ受信機能と、外部のテレビ受信装置を操作するリモコン機能とを備え、リモコンモードの場合には音声だけを無線通信端末装置から出力することが記載されているが、２系統のチャンネル選択スイッチを活用する構成にはなっていない。また、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１４】
また、特許文献４においては、外部のテレビの画面及びリモコンの画面の表示内容をリモコンで簡単に制御するために、通常のダイレクト選択ボタン及びチャンネルアップダウンスイッチの他に、同期スイッチ、及び、上下左右決定スティックを設けなければならず、現在市場に出ている製品に大幅な変更を加えることになる。２系統のチャンネル選択スイッチを活用する構成にはなっていない。また、特許文献４においては、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１５】
また、非特許文献１においては、従来の携帯電話装置やリモコン装置と同様に、テンキー及び順送りキーのいずれかの操作によって、受信するデジタルテレビのチャンネルを選択できることが記載されているが、２系統のチャンネル選択スイッチを活用する構成にはなっていない。また、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１６】
また、特許文献５においては、大型テレビに対して各種リモコン信号を送信するためのリモコンモードと、リモコン側テレビによる放送受信動作を操作するためのテレビモードとを切り換えるためにモード切換えスイッチが必要である上に、リモコン装置に表示されているテレビ放送を大型テレビで見るときに操作するチェンジキーが必要である。したがって、現在市場に出ている製品に大幅な変更を加えることになり、現在のハードウェア資源である２系統のチャンネル選択スイッチを活用する構成にはなっていない。
さらに、この特許文献５においては、図７、図８、及び図９のフローチャートによれば、チェンジキー２２ｆを操作してリモコン装置２０で受信中のチャンネルと大型テレビ１０で受信中のチャンネルとを一度入れ替えた後は、再びチェンジキーを操作してもチャンネルの入れ替えは行われない。再度のチャンネルの入れ替えをするためには、ユーザはモード切換スイッチ２２ａ及びテンキースイッチ２２ｃを操作する必要がある。これは、特許文献５の課題が、電力消費の無駄や受像管の寿命低下を招くことなく、所望の番組の見たい場面を簡単確実に選択表示することにあり、本願発明の課題のように、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替えることではないので当然であると言える。
すなわち、特許文献５においては、また、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１７】
また、特許文献６においては、２系統のチャンネル選択スイッチを活用する構成にはなっていない。また、方向選択ボタン（カーソルスイッチ）を操作して所望のチャンネルに合わせた後、決定ボタン（決定スイッチ）を操作することにより、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１８】
本発明は、上記従来の課題を解決するものであり、表示画面が大きい固定型のテレビ受信装置に対する高精細・高画質のテレビ放送と、２系統のチャンネル選択スイッチを有する携帯端末装置に対するテレビ放送とを同時に利用して、利便性の高い視聴を享受することを目的とする。
【課題を解決するための手段】
【００１９】
本発明のテレビ放送を受信する携帯端末装置（実施形態においては、携帯電話装置に相当する）は、受信するテレビ放送（実施形態においては、地上波デジタル放送に相当する）の画像を表示する表示部と、外部のテレビ受信装置を制御するための無線信号を送信する無線送信部と、テレビ放送のチャンネルを操作に応じて選択する第１系統のチャンネル選択スイッチ（実施形態においては、カーソルスイッチに相当する）と、テレビ放送のチャンネルを操作に応じて選択する第２系統のチャンネル選択スイッチ（実施形態においては、テンキースイッチに相当する）と、通常受信モード、２系統受信モード、連結受信モードが表示部に表示された状態において、操作に応じていずれか１つのモードを受信候補として選択する選択スイッチと、選択スイッチによって選択されたモードを操作に応じて決定する決定スイッチと、決定スイッチによって通常受信モードが決定された場合には、第１系統のチャンネル選択スイッチ又は第２系統のチャンネル選択スイッチの操作に応じて受信するテレビ放送のチャンネルを選択して当該選択に係るテレビ放送の画面を前記表示部に表示し、決定スイッチによって２系統受信モードが決定された場合には、第１系統のチャンネル選択スイッチの操作に応じて選択されたチャンネルのテレビ放送を受信して当該選択に係るテレビ放送の画面を表示部に表示し、第２系統のチャンネル選択スイッチの操作に応じて外部のテレビ受信装置が受信するテレビ放送のチャンネルを選択するための無線信号を無線送信部から送信させる制御部と、を備えたことを特徴とする。
【００２０】
本発明のテレビ放送（実施形態においては、地上波デジタル放送に相当する）を受信する携帯端末装置（実施形態においては、リモコン装置に相当する）は、外部のテレビ受信装置を制御するための無線信号を送信する無線送信部と、テレビ放送のチャンネルを操作に応じて選択するチャンネル選択スイッチと、チャンネル選択スイッチの操作に応じて受信するテレビ放送のチャンネルを選択して当該選択に係るテレビ放送の音声信号を処理する音声処理部と、チャンネル選択スイッチの操作に応じて外部のテレビ受信装置が受信するテレビ放送のチャンネルを選択するための無線信号を前記無線送信部から送信させる制御部と、工具を要することなく着脱可能に装着されたヘッドホン装置に設けられたスプリング式の可動接点に弾性的に接触して音声処理部によって処理された音声信号を出力する音声出力端子と、を備えたことを特徴とする。
【発明の効果】
【００２１】
本発明の携帯端末装置によれば、表示画面が大きい固定型のテレビ受信装置に対する高精細・高画質のテレビ放送と、２系統のチャンネル選択スイッチを有する携帯端末装置に対するテレビ放送とを同時に利用して、利便性の高い視聴を享受できるという効果が得られる。
【発明を実施するための最良の形態】
【００２２】
以下、本発明によるテレビ放送を受信する携帯端末装置の第１実施形態ないし第４実施形態について、地上波デジタル放送を受信する携帯電話装置を例にとって、図を参照して説明する。
【００２３】
図１は、各実施形態の携帯電話装置を適用したシステム構成を示す図である。図１において、携帯電話装置１は固定型のテレビ受信装置２に対して赤外線ＩＲによる無線信号を送信して、テレビ受信装置２のチャンネル選択や音量調整を制御する。テレビ受信装置２には、左右の２つのスピーカ２ａ、赤外線検出センサ２ｂ、ブラウン管、液晶表示装置又はプラズマ表示装置の表示部３が設けられている。表示部３には、携帯電話装置１からのチャンネル選択や音量調整に応じて、一時的あるいは常時、現在受信しているチャンネル番号３ａやスピーカ２ａから発音される現在の音量３ｂが表示される。
【００２４】
図２は、図１の携帯電話装置１の正面図である。この携帯電話装置１は、下部本体１Ａに結合されている上部本体１Ｂが矢印で示すようにスライドする構造になっている。上部本体１Ｂを図の下方に最大までスライドすると、下部本体１Ａと上部本体１Ｂとが重なり合う。上部本体１Ｂを図の上方に最大までスライドすると図２に示すように下部本体１Ａの操作部が露出する状態になる。
【００２５】
図２において、上部本体１Ｂには液晶表示装置やプラズマ表示装置等からなる表示パネル４が設けられ、初期画面、メニュー画面、地上波デジタル放送の受信画面、電話やメールに関する画面が表示される。下部本体１Ａには、下スイッチ５が設けられている。下スイッチ５は、「０」〜「９」のテンキースイッチ５ａ、シャープ「＃」スイッチ５ｂ、アスタリスク「＊」スイッチ５ｃが設けられている。一方、上部本体１Ｂの表示パネル４の下側には、カーソルスイッチ６ａ、カーソルスイッチ６ｂ、カーソルスイッチ６ｃ、カーソルスイッチ６ｄ、決定スイッチ６ｅ、の他に４個のスイッチ６ｆ、６ｇ、６ｈ、６ｉからなる上スイッチ６が設けられている。
【００２６】
電話モードにおいては、上スイッチ６のメニュースイッチ６ｈは「メール」、「電話帳」、「電話履歴」、「カメラ」、「テレビ受信」、「画像再生」及び図に示すような、その他のアイコンのメニュー画面を表示するスイッチとして機能する。下スイッチ５の「１」〜「０」のテンキーは電話番号、メールの文字、パスワード、及び、その他の数値データを入力するスイッチとして機能する。また、上スイッチ６において、スイッチ６ｆは電源オン又はオフ及びオンフックとして、スイッチ６ｇはオフフックとして、スイッチ６ｉはクリアスイッチとしてそれぞれ機能する。カーソルスイッチ６ａ、カーソルスイッチ６ｂ、カーソルスイッチ６ｃ、カーソルスイッチ６ｄは表示パネル４に表示されたアイコンを選択するために、それぞれ左移動、右移動、上移動、下移動の選択スイッチとして機能する。決定スイッチ６ｅは、カーソルスイッチで選択されたアイコンを決定する決定スイッチとして機能する。
【００２７】
一方、テレビ受信モードにおいては、下スイッチ５の「０」〜「９」のテンキー５ａは受信するチャンネルを選択するスイッチとして機能し、シャープ「＃」スイッチ５ｂは出力する音量レベルを１つ上げるスイッチとして機能し、アスタリスク「＊」スイッチ５ｃは出力する音量レベルを１つ下げるスイッチとして機能する。上スイッチ６のメニュースイッチ６ｆはテレビ受信モードから電話モードに遷移するスイッチとして機能する。上スイッチ６のカーソルスイッチ６ａはイヤホンコネクタから出力する音量を１ステップ上げるスイッチとして機能し、カーソルスイッチ６ｂはイヤホンコネクタから出力する音量を１ステップ下げるスイッチとして機能する。カーソルスイッチ６ｃは受信チャンネルを１つ上げるスイッチとして機能し、カーソルスイッチ６ｄは受信するチャンネルを１つ下げるスイッチとして機能する。決定スイッチ６ｅはテレビ受信モードを通常受信モード、連結受信モード、及び２系統受信モードの中から、いずれか１つの受信モードを決定する決定スイッチとして機能する。
【００２８】
テレビ受信モードにおいては、上スイッチ６のカーソルスイッチ６ｃ及びカーソルスイッチ６ｄは、チャンネル選択スイッチとして機能する。また、上スイッチ６のカーソルスイッチ６ａ及びカーソルスイッチ６ｂ並びに下スイッチ５のシャープ「＃」スイッチ５ｂ及びアスタリスク「＊」スイッチ５ｃは、音量調整のスイッチとして機能する。また、スイッチ６の決定スイッチ６ｅは、通常受信モード、連結受信モード、又は２系統受信モードを操作に応じて決定する。さらに、テレビ受信モードにおいては、上スイッチ６のカーソルスイッチ６ｃ及びカーソルスイッチ６ｄは、チャンネル選択スイッチとして機能する。また、上スイッチ６のカーソルスイッチ６ａ及びカーソルスイッチ６ｂ並びに下スイッチ５のシャープ「＃」スイッチ５ｂ及びアスタリスク「＊」スイッチ５ｃは、音量調整のスイッチとして機能する。
【００２９】
このように、テレビ受信モードにおいては、下部本体１Ａの下スイッチ５の操作によって受信するチャンネルを直接選択できると共に、上部本体１Ｂのカーソルスイッチ６ｃ及びカーソルスイッチ６ｄによっても受信するチャンネルを順次選択できる。すなわち、受信するチャンネルを選択するスイッチには、上部本体１Ｂの所定のスイッチで構成される第１系統のチャンネル選択スイッチと、下部本体１Ａの所定のスイッチで構成される第２系統のチャンネル選択スイッチとが設けられている。
【００３０】
図３は、図１の携帯電話装置１の内部構成を示す概略ブロック図である。この携帯電話装置１は、再生系すなわちＴＶ部および制御系で構成されている。まず、ＴＶ部について説明する。図１において、受信回路１０１は、アンテナから入力された高周波信号を増幅し、制御系からのチャンネル選択コマンドに応じて特定の放送局の高周波信号を選択して、復調・復号回路１０２に入力する。復調・復号回路１０２は、ＯＦＤＭ変調された高周波信号を復調し、さらに、ベースバンド信号に復号化して、番組放送の映像情報、音声情報、およびデータ放送の文字情報に分離して、分離した映像情報及び文字情報を画像処理回路１０３に入力し、分離した音声情報を音声処理回路１０４に入力する。
【００３１】
画像処理回路１０３は１フレーム（１画面）分のＶＲＡＭ（ビデオメモリ）を有し、映像情報及び文字情報に対して色・輝度分離処理、その他の処理を施して、ＶＲＡＭにおいて１フレームのビットマップの画像データに展開し、表示駆動回路１０５に入力する。表示駆動回路１０５は、そのビットマップの画像データに応じた表示駆動信号を図１の表示パネル４に入力して表示させる。
【００３２】
音声処理回路１０４は、音声情報をＬ（左）信号、Ｒ（右）信号、Ｇ（グラウンド）信号からなる２系統のステレオ信号に分離し、そのステレオ信号をデジタルからアナログに変換して音声増幅回路１０６に入力する。音声増幅回路１０６は、音量調整のスイッチ操作に応じた利得制御処理、フィルタ処理、増幅処理などを施して、イヤホンコネクタ７から図４に示したステレオイヤホン９に対して出力する。さらに、Ｌ信号はコンデンサＣ１を介してリアコネクタ８の端子Ｌ及びコイルＬ１を介して２次電池のプラス側に接続され、Ｒ信号はコンデンサＣ２を介してリアコネクタ８の端子Ｒに接続され、Ｇ信号はリアコネクタ８のＧ端子及び２次電池１１５のマイナス側に接続されている。
【００３３】
３個の端子Ｌ、Ｒ、Ｇを有するリアコネクタ８は、本発明の特徴の１つであり、並列接続されたイヤホンコネクタ７と同様に音声出力手段として機能すると共に、卓上ホルダ（図示せず）に装着された場合には、２次電池１１５を充電するための接点として機能する。すなわち、音声増幅回路１０６からの交流の音声信号はコンデンサＣ１、Ｃ２を介してリアコネクタ８から出力され、一方、リアコネクタ８からの直流の充電電流はコイルＬ１を介して２次電池１１５に入力される。リアコネクタ８の機能についてはさらに後述する。
【００３４】
次に、制御系について説明する。図３において、ＣＰＵ１０７は、システムバスを介して上記のＴＶ部と接続されるとともに、ＲＯＭ１０８、ＲＡＭ１０９、スイッチ部１１０、赤外線通信部１１１、画像記憶部１１２、電話部１１３、カメラ部１１４、及び、図示しない外部インタフェース部（Ｉ／Ｆ）と接続されており、各部との間でデータおよびコマンドを授受しながらこの装置全体を制御する。ＴＶ部に対するＣＰＵ１０７の制御としては、例えば、スイッチ操作に応じて、表示駆動回路１０５のバイアス電流をオン又はオフにして動作又は動作停止を制御して、表示パネル４に画像を表示し又は表示されている画像を消去する。また、スイッチ操作に応じて、音声増幅回路１０６に対する利得制御を行う。
【００３５】
ＲＯＭ１０８は、フラッシュメモリなどの書き換え可能な不揮発性メモリで構成され、ＣＰＵ１０７によって実行される電話モードのプログラム、テレビ受信モードのプログラム、その他のアプリケーションプログラム、及び、電源起動時の初期データをあらかじめ記憶している。ＲＡＭ１０９はＣＰＵ１０７のワークエリアであり、ＣＰＵ１０７によって処理されるデータを一時的に記憶するために、各種のレジスタやフラグなどが設けられている。スイッチ部１１０は、図１に示した下部本体１Ａの下スイッチ５、上部本体１Ｂの上スイッチ６、図示しない他のスイッチ、及び、操作検出回路（スキャン・マトリックス回路）などで構成されている。
【００３６】
赤外線通信部１１１は、固定型のテレビ受信装置２を制御するために赤外線の無線信号を送信する。なお、赤外線通信部１１１の代わりにブルートゥース（登録商標）通信部を設けてもよい。
【００３７】
画像記憶部１１２は、複数フレーム、例えば、５１２フレームの画像メモリ回路を有し、画像録画のスイッチ操作に応じて、受信している地上波デジタル放送の１フレームの画像データを画像処理回路１０３のＶＲＡＭから取り込んで静止画として画像メモリ回路に記憶する。ノイズ低減回路については後で詳述する。記憶した画像は、図１のメニュー画面において、画像再生のアイコンを選択することで、表示パネル４に１フレーム単位及びマルチフレームで表示することができる。
【００３８】
電話部１１３は、ＣＤＭＡ方式の電話回路、マイクロフォン、スピーカを有し、他の携帯電話装置との間で電話やメールの送受信を行うと共に、画像記憶部１１２に記憶された静止画を無線で送信することができる。
【００３９】
外部インタフェース部は、例えば、ビデオプリンタやパソコンなどの外部機器に接続できるＵＳＢインタフェースで構成され、画像再生のモードにおいて、画像転送のスイッチ操作に応じて、画像記憶部１１２に記憶された静止画を選択して外部機器に転送することができる。
【００４０】
カメラ部１１５は、図１のメニュー画面においてカメラモードが選択・決定されたときに、スルー画像を画像処理回路１０３に入力し、表示駆動回路１０５を介してそのスルー画像を表示パネル４に表示させると共に、撮像指令のスイッチ操作に応じて、表示パネル４に表示されているスルー画像を画像処理回路１０３のＶＲＡＭに一時的に記憶し、さらに、保存指令のスイッチ操作に応じて、ＶＲＡＭに一時的に記憶した１フレームの画像を静止画として画像記憶部１１２に保存する。
【００４１】
次に、各実施形態に共通する携帯電話装置１の通常受信モード、連結受信モード、２系統受信モードの動作について、ＣＰＵ１０７によって実行される図４ないし図７に示すフローチャート、図８に示すテレビメニュー画面、図９の示す携帯電話装置１のテレビ画面、図１０ないし図１７に示すヘッドホン装置に基づいて詳細に説明する。
【００４２】
電源スイッチがオン操作されて携帯電話装置１が起動すると、ワークＲＡＭ１０９のレジスタやフラグをクリアするなどの所定のイニシャライズの後、図４において、初期画面を表示する（ステップＳ１）。次に、メニュースイッチ６ｈがオンされたか否かを判別し（ステップＳ２）、このスイッチがオンされたときは、メニュー画面を表示する（ステップＳ３）。メニュー画面には、図２の表示パネル４に示すような複数のアイコンが表示される。
【００４３】
表示されているメニュー画面において、テレビ受信を選択する操作がされたか否かを判別し（ステップＳ４）、テレビ受信が選択されない場合には、他の操作がされたか否かを判別し（ステップＳ５）、いずれかの操作がされたときは、その操作に対応する処理を実行する（ステップＳ６）。
【００４４】
テレビ受信が選択された場合には、通常受信モード、連結受信モード、２系統受信モードの受信モードの選択アイコンが表示される（ステップＳ７）。図８は、表示パネル４に表示されたテレビメニュー画面を示す図である。次に、カーソルスイッチ６ｃ又は６ｄが操作されたか否かを判別し（ステップＳ８）、このスイッチが操作されたときは、対応するメニュー候補の表示を変更する（ステップＳ９）。図８（Ａ）は連結受信モードがメニュー候補である状態を示し、図８（Ｂ）は２系統受信モードがメニュー候補である状態を示している。次に、決定スイッチ６ｅが操作されたか否かを判別し（ステップＳ１０）、このスイッチが操作に応じて、いずれか１つの受信モードが選択されることになる。
【００４５】
連結受信モードが選択されたか否かを判別し（ステップＳ１１）、連結受信モードが選択された場合には、表示駆動回路１０５のバイアス電流をオフにする制御信号を入力して、表示パネル４の画面を消去し、赤外線通信部１１１から固定型のテレビ受信装置２に対して音声ミュートの無線信号を送信する（ステップＳ１２）。この場合には、音量スイッチ（カーソルスイッチ６ａ又は６ｂ）がオンされたか否かを判別し（ステップＳ１３）、音量スイッチがオンされたときは、イヤホンコネクタからの出力音量を変更する（ステップＳ１４）。
【００４６】
連結受信モードが選択されない場合には、表示パネル４に受信したテレビ画面を表示する（ステップＳ１５）。次に、２系統受信モードであるか否かを判別し（ステップＳ１６）、２系統受信モードでない場合、すなわち、通常受信モードが選択された場合には、音量スイッチがオンされたか否かを判別し（ステップＳ１３）、音量スイッチがオンされたときは、イヤホンコネクタからの出力音量を変更する（ステップＳ１４）。
【００４７】
連結受信モード又は通常受信モードが選択された場合に、図５において、カーソルスイッチ６ｃ、６ｄ（上スイッチ）、テンキー５（下スイッチ）のうち、いずれかのチャンネル変更スイッチがオンされたか否かを判別し（ステップＳ１７）、チャンネル変更スイッチがオンされたときは、受信チャンネルを変更する（ステップＳ１８）。さらに、連結受信モードであるか否かを判別し（ステップＳ１９）、連結受信モードである場合にはテレビ受信装置２に対して赤外線ＩＲによるチャンネル変更信号を送信する（ステップＳ２０）。次に、決定スイッチ６ｅがオンされたか否かを判別し（ステップＳ２１）、決定スイッチ６ｅがオンされたときは、受信画像の静止画を画像記憶部１１２にストアする（ステップＳ２２）。この場合において、記憶する静止画のデータに現在のデータである「年月日時間」、「チャンネル番号」などの付加情報を共に記憶する。
【００４８】
例えば、決定スイッチ６ｅが連続して１０回オンされたときは、１０フレームの静止画が画像記憶部１１２に記憶される。画像記憶部１１２に記憶可能なフレーム数が５１２フレームとし、決定スイッチ６ｅが連続して１０回オンされた時点で５０８フレームの静止画が既に記憶されている場合には、記憶された静止画の中から付加情報である「年月日時間」が古い６フレームの静止画が消去されて、新たに１０フレームの静止画が記憶される。
【００４９】
次に、メニュースイッチ６ｈがオンされたか否かを判別し（ステップＳ２３）、このスイッチがオンされたときは図４のステップＳ３に移行してメニュー画面を表示するが、このスイッチがオンされない場合には、図４のステップＳ１３に移行して、図５のステップＳ２３までの処理ループを繰り返す。
【００５０】
通常受信モードの場合には、図９に示すように、携帯電話装置１の表示パネル４には受信した地上波デジタル放送（ワンセグ）のテレビ画面が表示され、イヤホン９から音量スイッチで調整された音声が発音される。
【００５１】
連結受信モードの場合には、携帯端末装置１をヘッドホン装置に着脱可能に装着して使用する。図１０は、第１実施形態におけるヘッドホン装置Ｈ２１の外観図であり、図６（Ａ）は携帯電話装置１を装着する前の状態を示し、図５（Ｂ）は携帯電話装置１を装着した状態を示している。図６（Ａ）及び図６（Ｂ）に示すように、このヘッドホン装置Ｈ２１は、左右のスピーカＨ２７を支持すると共に、湾曲した支持部材Ｈ２８が設けられている。この支持部材Ｈ２８の所定位置には、図１の携帯電話装置１を着脱可能に装着する装着部Ｈ２２が設けられている。図６（Ａ）において、装着部Ｈ２２には、装着された携帯電話装置１を固定するためのフックＨ２３及びスプリング式の可動片Ｈ２４が設けられ、さらに、携帯電話装置１のイヤホンコネクタに接続するための接続手段であるケーブルＨ２５及びコネクタＨ２６が設けられている。なお、接続手段の構成は、図１０に限定されるものではない。例えば、携帯電話装置１のイヤホンコネクタと直接接続する構造のコネクタにしてもよい。また、装着部Ｈ２２に設けられたフックＨ２３及びスプリング式の可動片Ｈ２４は、携帯電話装置１の充電用の卓上ホルダ（図示せず）の構造と同じであり、フックＨ２３及びスプリング式の可動片Ｈ２４によって携帯電話装置１をワンタッチで着脱できる。さらに、卓上ホルダの成形に用いる金型の一部を装着部Ｈ２２の製造の際に援用することができる。
【００５２】
携帯電話装置１が装着部Ｈ２２に装着された場合には、コネクタＨ２６が携帯電話装置１のイヤホンコネクタに接続されるので、携帯電話装置１のイヤホンコネクタから出力される地上波デジタル放送の音声をヘッドホン装置Ｈ２１のスピーカＨ２７から聞くことができる。この場合において、図１０（Ｂ）に示すように、装着された携帯電話装置１の上スイッチ６を操作する際に、ある程度操作に習熟すれば、頭にヘッドホン装置Ｈ２１を付けた状態でも、図１の固定型のテレビ受信装置２のチャンネル選択、ヘッドホン装置Ｈ２１の音量調整、及び、固定型のテレビ受信装置２の表示部３に表示された画像を画像記憶部１１２に記憶することができる。
【００５３】
テレビメニューから選択された受信モードが２系統受信モードである場合には、図４のステップＳ１６からステップＳ２４に移行して音声をミュートする（ステップＳ２４）。すなわち、携帯電話装置１のイヤホンコネクタからの音声を停止する。そして、図６において、上スイッチ６のカーソルスイッチ６ｃ若しくはカーソルスイッチ６ｄ、又は、下スイッチ５のテンキースイッチ５ａによって、チャンネル変更のスイッチ操作がされたか否かを判別する（ステップＳ２５）。いずれかのスイッチ操作によってチャンネル変更がされたときは、上スイッチ６のカーソルスイッチ６ｃ若しくはカーソルスイッチ６ｄ、又は、下スイッチ５のテンキースイッチ５ａによって、チャンネル変更のスイッチ操作がされたか否かを判別する（ステップＳ２６）。チャンネル変更のスイッチ操作がされたときは、チャンネル変更のスイッチ操作が上スイッチ６によるものか又は下スイッチ５によるものかを判別する（ステップＳ２６）。上スイッチ６（カーソルスイッチ６ｃ又はカーソルスイッチ６ｄ）によってチャンネル変更のスイッチ操作がされたときは、その変更されたチャンネルをＲＡＭ１０９のレジスタＣＨ１にストアして（ステップＳ２７）、ＣＨ１にストアされたチャンネルのテレビ放送を受信する（ステップＳ２８）。
【００５４】
一方、下スイッチ５（テンキースイッチ５ａ）によってチャンネル変更のスイッチ操作がされたときは、その変更されたチャンネルをＲＡＭ１０９のレジスタＣＨ２にストアして（ステップＳ２９）、赤外線通信部１１１から外部のテレビ受信装置２に対して、ＣＨ２にストアされたチャンネルのテレビ放送を受信するための無線信号を送信する（ステップＳ３０）。
【００５５】
ステップＳ３０において無線信号を送信した後、若しくは、ステップＳ２８においてテレビ放送を受信した後、又は、ステップＳ２５においてチャンネル変更のスイッチ操作がされない場合には、チャンネル変更には関与しないテンキースイッチ「０」がオンされたか否かを判別する（ステップＳ３１）。このスイッチがオンされたときは、ＣＨ２にストアされているチャンネルをＲＡＭ９のレジスタＣＨ３にストアし、ＣＨ１にストアされているチャンネルをＣＨ２にストアし、ＣＨ３にストアしたチャンネルをＣＨ１にストアする（ステップＳ３２）。次に、赤外線通信部１１１から外部のテレビ受信装置２に対して、ＣＨ２のチャンネルに変更するための無線信号を送信する（ステップＳ３３）。また、ＣＨ１のチャンネルのテレビ放送を受信する（ステップＳ３４）。
【００５６】
すなわち、２系統受信モードの場合においては、テンキースイッチ「０」がオンされる毎に、携帯電話装置１で受信しているテレビ放送のチャンネルと、外部のテレビ受信装置２で受信しているテレビ放送のチャンネルとを入れ替えるように制御する。例えば、携帯電話装置１が地上波デジタル放送のチャンネル「１」を受信中で、外部のテレビ受信装置２が地上波デジタル放送のチャンネル「３」を受信中である場合に、テンキースイッチ「０」がオンされると、携帯電話装置１は地上波デジタル放送のチャンネル「３」を受信するように切り替わり、外部のテレビ受信装置２は地上波デジタル放送のチャンネル「１」を受信するように切り替わる。この後、再びテンキースイッチ「０」がオンされると、携帯電話装置１は地上波デジタル放送のチャンネル「１」を受信するように切り替わり、外部のテレビ受信装置２は地上波デジタル放送のチャンネル「３」を受信するように切り替わる。
【００５７】
図６のステップＳ３４においてＣＨ１のチャンネルのテレビ放送を受信した後、又は、ステップＳ３１においてテンキースイッチ「０」がオンされない場合には、音量スイッチがオンされたか否かを判別し（ステップＳ３５）、このスイッチがオンされたときは、赤外線通信部１１１から外部のテレビ受信装置２に対して、音量レベルを変更するための無線信号を送信する（ステップＳ３６）。次に、メニュースイッチ６ｈがオンされたか否かを判別する（ステップＳ３７）。このスイッチがオンされたときは図４のステップＳ３に移行してメニュー画面を表示するが、このスイッチがオンされない場合には、図７に移行する。
【００５８】
そして、決定スイッチ６ｅがオンされたか否かを判別する（ステップＳ３８）。このスイッチがオンされたときは、ＣＨ１にストアされているチャンネルをＲＡＭ１０９のレジスタＣＨ３にストアし（ステップＳ３９）、ＣＨ２にストアされているチャンネルをＣＨ１にストアし（ステップＳ４０）、ＣＨ１のチャンネルを受信する（ステップＳ４１）。そして、受信しているテレビ放送の映像情報や文字情報の画像を１フレームごとに画像処理回路１０３のＶＲＡＭから取り込んで、画像記憶部１１２に静止画として記憶する（ステップＳ４２）。この記憶した静止画は、固定型のテレビ受信装置２に現在表示されている映像情報や文字情報の画像に他ならない。
【００５９】
ステップＳ４２において静止画を記憶した後は、ＣＨ３にストアしたチャンネルをＣＨ１にストアして元のチャンネルに戻し（ステップＳ４３）、ＣＨ１のチャンネルのテレビ放送を再び受信する（ステップＳ４４）。したがって、ステップＳ４０においてＣＨ２のチャンネルをＣＨ１に一時的にストアして、固定型のテレビ受信装置２と同じチャンネルを受信して、そのチャンネルの映像情報や文字情報の画像を記憶した後は、決定スイッチ６ｅがオンされる前のチャンネルに戻す。
【００６０】
すなわち、ユーザが固定型のテレビ受信装置２に表示されている映像情報や文字情報の画像を静止画として録画したい場合には、決定スイッチ６ｅをオンすることによって、その表示されている映像情報や文字情報のテレビ放送のチャンネルに携帯電話装置１の受信チャンネルを固定型のテレビ受信装置２と同じチャンネルに一時的に切り替えて、現在固定型のテレビ受信装置２に表示されている映像情報や文字情報の画像を静止画として画像記憶部１１２に静止画として記憶する。この場合においても、連結受信モードの場合と同様に、現在のデータである「年月日時間」、「チャンネル番号」などの付加情報を静止画と共に記憶する。記憶した後は、再び元のチャンネルのテレビ放送の受信に切り換える。
【００６１】
また、決定スイッチ６ｅが連続して２０回オンされたときは、１０フレームの静止画が画像記憶部１１２に記憶される。画像記憶部１１２に記憶可能なフレーム数が５１２フレームとし、テンキースイッチ「０」が連続して１０回オンされた時点で５１０フレームの静止画が既に記憶されている場合には、記憶された静止画の中から付加情報である「年月日時間」が古い１８フレームの静止画が消去されて、新たに１０フレームの静止画が記憶される。
【００６２】
ステップＳＢ３５においてＣＨ１のチャンネルのテレビ放送を再び受信した後、又は、ステップＳＢ２９においてテンキースイッチ「０」がオンされない場合には、図１１のステップＳＢ８に移行して、図１３のステップＳＢ２８までのループを実行する。ステップＳＢ２８において、メニュースイッチ６ｈがオンされたときは、表示パネル４のテレビ画面を消去して（ステップＳＢ３６）、図１１のステップＳＢ３に移行して再びメニュー画面を表示する。
【００６３】
図７のステップＳ４４においてＣＨ１のチャンネルを受信した後、又は、ステップＳ３８において決定スイッチ６ｅがオンでない場合には、図６のステップＳ２５に移行して、メニュースイッチ６ｈがオンされない限り、ステップＳ４４までの処理ループを繰り返す。
【００６４】
以上のように、上記第１実施形態の携帯電話装置によれば、ＣＰＵ１０７は、決定スイッチ６ｅによって通常受信モードが設定されている場合には、チャンネル選択スイッチ６ｃ、６ｄが操作されたときは、その操作に応じて受信するテレビ放送のチャンネルを選択する。
【００６５】
一方、決定スイッチ６ｅによって、外部のテレビ受信装置２と携帯電話装置１とによって同一のチャンネルを受信する連結受信モードが設定されている場合には、外部のテレビ受信装置２が音声を消音するための無線信号を送信し、チャンネル選択スイッチ６ｃ、６ｄが操作されたときは、その操作に応じて受信するテレビ放送のチャンネルを選択すると同時に、その操作に応じて外部のテレビ受信装置２が受信するテレビ放送のチャンネルを選択するための無線信号を送信する。
【００６６】
したがって、スイッチを新たに追加することなく、あるいは、スイッチの構成を変更することなく、周囲の人に迷惑をかけずに深夜の地上波デジタル放送などを楽しむことが可能な機能を付加することが可能になる。さらに、この場合においては、両手が自由になるので、ダンベル体操しながら、両手で片づけ物をしながら、キッチンで洗い物しながらでも、地上波デジタル放送を楽しむことができる。あるいは、地上波デジタル放送のニュース番組や音楽番組のように、音声だけを聞く場合には、野外で散歩しながらでも、地上波デジタル放送を楽しむことができる。
【００６７】
あるいは、決定スイッチ６ｅによって、外部のテレビ受信装置２と携帯電話装置１とによって異なるチャンネルを受信する２系統受信モードが設定されている場合には、カーソルスイッチ６ｃ、６ｄが操作されたときは、その操作に応じて受信するテレビ放送のチャンネルを選択し、テンキースイッチ５ａが操作されたときは、その操作に応じて外部の固定型のテレビ受信装置２が受信するテレビ放送のチャンネルを選択するための無線信号を送信するように赤外線通信部１１１を制御する。
【００６８】
したがって、スイッチを新たに追加することなく、あるいは、スイッチの構成を変更することなく、外部のテレビ受信装置２によって所望のチャンネルの番組を見ながら、手元の携帯電話装置１によって他のチャンネルの番組の内容をチェックすることが可能な機能を付加することができる。例えば、チャンネル１でサッカーの試合の放送を見ている場合に、他のチャンネル３で好きな歌手が出演する音楽番組の放送があるが、その歌手が何時出演するか分からない場合に、２系統受信モードに設定して、固定型のテレビ受信装置２でチャンネル１を受信し、携帯電話装置１でチャンネル３を受信することにより、その歌手が出演するタイミングを把握できるので、そのタイミングで固定型のテレビ受信装置２をチャンネル３に合わせるような機能を付加することができる。
【００６９】
２系統受信モードの場合において、ＣＰＵ１０７は、テンキースイッチ「０」がオン操作されたときは、そのオン操作のたびに、現在受信しているテレビ放送のチャンネルを外部の固定型のテレビ受信装置２が選択するための無線信号を送信すると共に、現在外部のテレビ受信装置２が受信しているテレビ放送のチャンネルを携帯電話装置１で選択して、互いの受信チャンネルを入れ替える。したがって、スイッチを新たに追加することなく、決定スイッチ６ｅをオン操作して、固定型のテレビ受信装置２で２つのチャンネルの番組を交互に見ることが可能な機能を付加することができる。テンキースイッチ「０」は、単独でオンされてもチャンネル変更の機能を果たさないので、テレビ放送を受信中において特別な機能を割り当てることができるのである。
【００７０】
また、上記実施形態において、連結受信モード又は２系統受信モードの場合には、決定スイッチ６ｅをオン操作することにより、受信するテレビ放送から得られる静止画を画像記憶部１１２に記憶することができる。したがって、スイッチを新たに追加することなく、あるいは、スイッチの構成を変更することなく、受信するテレビ放送から得られる静止画を記憶することができる。例えば、後で利用したい文字情報や字幕情報などの画像を簡単な操作で記憶することができる。
【００７１】
なお、上記実施形態においては、下本体と上本体とがスライドする構造の携帯電話装置を例に採って本発明を説明したが、本発明の適用範囲はこのようなスライド式の携帯電話装置に限定されるものではない。例えば、下部本体と上部本体とがヒンジによって開閉可能な構造の携帯電話装置にも適用することができる。例えば、開閉式の携帯電話装置の上本体が表示部を構成し、スイッチ部が下本体だけに設けられている場合でも、図１に示したような、４個のカーソルスイッチ及び中央スイッチと同じ機能のスイッチがそのスイッチ部に設けられている。したがって、本発明を適用すれば、新たにスイッチを設けることなく、各実施形態と同様の機能が得られることは明らかである。
【００７２】
図１１は、第２実施形態のヘッドホン装置を示す図である。図１０に示したヘッドホン装置Ｈ２１と同じものは同一の符号で表している。図１１（Ａ）はヘッドホン装置Ｈ２１の外観図であり、図１１（Ｂ）は携帯電話装置を着脱可能に装着する装着部Ｈ２２の平面図である。図１１（Ａ）において、ヘッドホン装置Ｈ２１は、湾曲した支持部Ｈ２８が第１支持部Ｈ２８ａ及び第２支持部Ｈ２８ｂの係合部分の長さが調節可能な構造になっている。また、携帯電話装置１から出力される音声信号は、ヘッドホン装置Ｈ２１の第１支持部Ｈ２８ａの内部の第１のフレキシブル配線基板（図示せず）を経て、さらに第２支持部Ｈ２８ｂの内部の第２のフレキシブル配線基板（図示せず）を経てスピーカＨ２７に伝達される。図１２は、下部本体と上部本体とがヒンジによって開閉可能な構造の携帯電話装置１を図１１のヘッドホン装置Ｈ２１に装着した図であり、図１２（Ａ）はその外観図、図１２（Ｂ）は携帯電話装置１を装着した装着部Ｈ２２の平面図である。
【００７３】
図１１（Ｂ）に示した装着部Ｈ２２において、図１０の場合と同様に、ヘッドホン装置Ｈ２１の装着部Ｈ２２のフックＨ２３及びスプリング式の可動片Ｈ２４は、携帯電話装置１の付属品として販売されている卓上ホルダの構造を応用したものである。携帯電話装置が装着されない場合には、可動片Ｈ２４はスプリング（図示せず）によってフックＨ２３側に付勢されている。携帯電話装置が装着される際には、その一方の端部によって凹部Ｈ２９の中に押し込まれる。フックＨ２３には小さな突起Ｈ２３ａが設けられており、携帯電話装置の他方の端部に形成されたくぼみに係合する。したがって、卓上ホルダの成形用の金型を援用して本願発明のヘッドホン装置Ｈ２１を安いコストで製造することができる。さらに、既存の携帯電話装置の機械的な構造を変更する必要がない上、携帯電話装置をワンタッチでヘッドホン装置Ｈ２１に装着し、ワンタッチでヘッドホン装置Ｈ２１から外すことができる。
【００７４】
図１２（Ｂ）において、スイッチ部６のカーソルスイッチ６ａ〜６ｄ及び決定スイッチ６ｅの構成は、図２に示した第１実施形態の携帯電話装置１と同じである。すなわち、カーソルスイッチ６ａ、６ｂのオン操作によってイヤホンコネクタからの音量を調整することができる。また、カーソルスイッチ６ｃ、６ｄのオン操作によって受信するチャンネルを変更すると共に、外部の固定型のテレビ受信装置２が受信するテレビ放送のチャンネルを変更するための赤外線ＩＲを送信することができる。
【００７５】
図１３は、ヘッドホン装置Ｈ２１の第１支持部Ｈ２８ａ及び第２支持部Ｈ２８ｂの係合部分を示す外観図である。第１支持部Ｈ２８ａには係合突起Ｈ２８ｃが形成され、第２支持部Ｈ２８ｂに形成された係合穴に矢印方向に摺動可能に挿入されている。突起Ｈ２８ｃには複数の位置に凹部２８１ａが形成されており、第２支持部Ｈ２８ｂに形成された穴の内壁の複数の位置に形成された凸部１８１ｂと係合して、係合部分を所望の長さで固定できる構造になっている。
【００７６】
図１４は、係合部分の接点構造を示す図である。図１４（Ａ）は係合部分をやや長く調整した場合であり、図１４（Ｂ）は係合部分をかなり長く調整した場合である。携帯電話装置１から出力される音声信号は、ヘッドホン装置Ｈ２１の第１支持部Ｈ２８ａの第１のフレキシブル配線基板の信号線及び第２支持部Ｈ２８ｂの第２のフレキシブル配線基板の信号線を経てスピーカＨ２７に伝達されるので、摺動可能な係合部分においては信号線も摺動可能な構造であることが必要である。
【００７７】
図１５は、図１４のＸ−Ｘ線に沿った断面部の構造を示す図である。図１５（Ａ）は第１支持部Ｈ２８ａ及びその係合突起Ｈ２８ｃを示す端部の図である。係合突起Ｈ２８ｃに形成された２本のレール２８２ａの表面には第１のフレキシブル配線基板の信号線の接点（図の黒半円）が形成されている。図１５（Ｂ）は第２支持部Ｈ２８ｂ及びその係合孔Ｈ２８ｄを示す端部の図である。係合孔Ｈ２８ｄに形成された２本の溝２８２ｂの表面には第２のフレキシブル配線基板の信号線の接点（図の黒四角）が形成されている。図１５（Ｃ）は第１支持部Ｈ２８ａと第２支持部Ｈ２８ｂとが係合した状態を示す図１４のＸ−Ｘ線に沿った断面図である。図１５（Ｃ）に示すように、２本のレール２８２ａは２本の溝２８２ｂに係合し、対応するそれぞれの接点同士が接触している。したがって、係合部分が摺動した場合でも携帯電話装置１から出力される音声信号はスピーカＨ２７に伝達される。
【００７８】
図１６は、第３実施形態におけるヘッドホン装置Ｈ２１及びそれに装着される携帯電話装置１を示す図である。第３実施形態において、図１１に示したヘッドホン装置Ｈ２１と同じものは符号を省略している。図１６（Ａ）はヘッドホン装置Ｈ２１の外観図であり、図１６（Ｂ）はその装着部Ｈ２２の平面図である。また、図１６（Ｃ）は携帯電話装置１の裏側を示す平面図である。図１６（Ａ）に示すように、装着部Ｈ２２には、図１０及び図１１に示したケーブルＨ２５及びコネクタＨ２６は設けられていない。これに代えて、図１６（Ｂ）に示す装着部Ｈ２２には、金属線を成形加工した３個の接点Ｈ３０が設けられている。
【００７９】
接点Ｈ３０はスプリング式の可動片Ｈ２４と連動して装着部Ｈ２２の上面から突出する構造になっている。携帯電話装置１が装着されない場合、すなわち、可動片Ｈ２４が凹部Ｈ２９の中に押し込まれていない状態では、接点Ｈ３０は装着部Ｈ２２の上面よりも内部側に隠れている。携帯電話装置１が装着されて可動片Ｈ２４が凹部Ｈ２９の中に押し込まれた場合には、接点Ｈ３０は装着部Ｈ２２の上面から突出する。図１６（Ｃ）において、携帯電話装置１の裏側には、図３に示したリアコネクタ８が露出しており、突出した接点Ｈ３０と接触する。この場合において、接点Ｈ３０のＬ、Ｇ、Ｒがそれぞれリアコネクタ８のＬ（＋）、Ｇ（−）、Ｒに接触する。接点Ｈ３０のＬ及びＧとＲ及びＧとは、それぞれ支持部Ｈ２８内部のフレキシブル配線基板を通って左右のスピーカＨ２７に接続されている。したがって、携帯電話装置１から出力される音声信号は、リアコネクタ８、接点Ｈ３０、支持部Ｈ２８内部のフレキシブル配線基板を通って左右のスピーカＨ２７に伝達される。図１７は、携帯電話装置１を図１６のヘッドホン装置Ｈ２１に装着した場合の図である。図１７（Ａ）は携帯電話装置１をヘッドホン装置Ｈ２１に装着した外観図であり、図１７（Ｂ）は携帯電話装置１を装着部Ｈ２２に装着した平面図である。この場合の携帯電話装置１の操作については、図１２に示した第２実施形態と同じであるので、説明は省略する。
【００８０】
なお、図３において説明したように、リアコネクタ８は音声信号の出力端子と２次電池１１５の充電用の入力端子とを兼用しているが、音声信号の出力端子と２次電池１１５の充電用の入力端子とを別個のリアコネクタとして設けてもよい。
【００８１】
図１８は、本発明の第４実施形態であり、図１６のヘッドホン装置Ｈ２１に装着する携帯端末装置が携帯電話装置１ではなく、図１の固定型のテレビ受信装置２を遠隔制御するリモコン装置３０の場合である。図１８（Ａ）はリモコン装置３０をヘッドホン装置Ｈ２１に装着した外観図であり、図１８（Ｂ）はリモコン装置３０を装着部Ｈ２２に装着した平面図である。リモコン装置３０の外形及び図示しない裏側のリアコネクタの構造は、図１７に示した携帯電話装置１のものと同じである。したがって、携帯電話装置１に代えてリモコン装置３０をヘッドホン装置Ｈ２１に装着することができる。このリモコン装置３０は、スイッチ部３１の操作に応じてブルートゥース（登録商標）ＢＴの電波をテレビ受信装置２に送信してテレビ受信装置２を制御する。
【００８２】
図１９は、第４実施形態におけるリモコン装置３０の内部構成を示す概略ブロック図である。従来のリモコン装置と異なるのは、地上波デジタル放送の音声信号を受信してテレビ放送の音声をヘッドホン装置Ｈ２１で聴くように構成されている点である。説明の簡便のため、図３に示した携帯電話装置１のブロック図の構成と基本的に同じものは同一の符号で表し、重複する説明は省略する。リモコン装置３０は乾電池（図示せず）によって駆動され２次電池は設けられていないので、リアコネクタ８は音声信号を出力する専用の出力端子になっている。また、ブルートゥース（登録商標）通信部１１６が設けられている。なお、固定型のテレビ受信装置２を遠隔制御する場合の操作は、従来のリモコン装置と同じであるので説明は省略する。
【００８３】
以上のように、上記各実施形態においては、表示画面が大きい固定型のテレビ受信装置に対する高精細・高画質のテレビ放送と、２系統のチャンネル選択スイッチを有する携帯端末装置に対するテレビ放送とを同時に利用して、利便性の高い視聴を享受することができる。
【００８４】
すなわち、連結受信モードの場合には、ヘッドホン装置に着脱可能に装着することにより、スイッチを新たに追加することなく、あるいは、スイッチの構成を変更することなく、周囲の人に迷惑をかけずに深夜の地上波デジタル放送などを楽しむことが可能な機能を付加することが可能になる。さらに、この場合においては、両手が自由になるので、ダンベル体操しながら、両手で片づけ物をしながら、キッチンで洗い物しながらでも、地上波デジタル放送を楽しむことができる。あるいは、地上波デジタル放送のニュース番組や音楽番組のように、音声だけを聞く場合には、野外で散歩しながらでも、地上波デジタル放送を楽しむことができる。
【００８５】
また、２系統受信モードの場合には、現在の携帯端末装置におけるチャンネルの選択手段として、直接選択するスイッチと順次選択するスイッチの２系統が具備されていることに着目して、これらを独立して且つ同時に操作するように構成することで、極めて容易な操作によって、外部のテレビ受信装置によって所望のチャンネルの番組を見ながら、手元の携帯端末装置によって他のチャンネルの番組の内容をチェックし、所定のスイッチをワンタッチで操作する毎に、外部のテレビ受信装置が受信するチャンネルと携帯端末装置が受信するチャンネルとを入れ替えることが可能になる。
【００８６】
また、携帯端末装置に対するテレビ放送をリモコン装置によって受信し、ヘッドホン装置に着脱可能に装着した状態でその音声信号を聴きながら、高精細・高画質のテレビ放送を受信する外部のテレビ受信装置をスイッチ操作によって遠隔制御することにより、周囲の人に迷惑をかけずに深夜の地上波デジタル放送などを楽しむことが可能な機能を付加することが可能になる。さらに、この場合においては、両手が自由になるので、ダンベル体操しながら、両手で片づけ物をしながら、キッチンで洗い物しながらでも、地上波デジタル放送を楽しむことができる。あるいは、地上波デジタル放送のニュース番組や音楽番組のように、音声だけを聞く場合には、野外で散歩しながらでも、地上波デジタル放送を楽しむことができる。
【００８７】
また、携帯電話装置やリモコン装置などの携帯端末装置を装着するヘッドホン装置において、フック及びスプリング式の可動片によって携帯端末装置を装着するように構成することにより、工具を必要とすることなくワンタッチで携帯端末装置を着脱できるので、携帯端末装置を単独で使用する場合と、ヘッドホン装置に装着して使用する場合とを極めて容易に使い分けることができる。
【００８８】
さらに、スプリング式の可動片と連動して変位する可動接点（スプリングコネクタ）に弾性的に接触する接点を携帯端末装置の裏側に設けるように構成することにより、接続コードなどの接続手段を必要とすることなく、携帯端末装置からヘッドホン装置への音声信号を伝達することができる。
【図面の簡単な説明】
【００８９】
【図１】本発明の実施形態の携帯電話装置を適用したシステム構成を示す図である。
【図２】本発明の実施形態のスライド式の携帯電話装置の正面図である。
【図３】本発明の実施形態の携帯電話装置の内部構成を示す概略ブロック図である。
【図４】本発明の実施形態の動作を示すＣＰＵのフローチャートである。
【図５】図４に続くＣＰＵのフローチャートである。
【図６】図４に続くＣＰＵのフローチャートである。
【図７】図６に続くＣＰＵのフローチャートである。
【図８】図２の携帯電話装置に表示されたテレビメニュー画面の図である。
【図９】図２の携帯電話装置に表示された通常受信モードの画面を示す図である。
【図１０】図２の携帯電話装置を装着する本発明の実施形態のヘッドホン装置を示す図である。
【図１１】携帯電話装置を装着する本発明の実施形態の他のタイプのヘッドホン装置を示す図である。
【図１２】図１１のヘッドホン装置に開閉式の携帯電話装置を装着した図である。
【図１３】図１１のヘッドホン装置の支持部の係合部分の構造を示す図である。
【図１４】図１１のヘッドホン装置の支持部の係合部分の接点構造を示す図である。
【図１５】図１４の係合部分のＸ−Ｘ線の断面に係る図である。
【図１６】携帯電話装置を装着する本発明の実施形態の他のタイプのヘッドホン装置を示す図である。
【図１７】図１６のヘッドホン装置に開閉式の携帯電話装置を装着した図である。
【図１８】図１６のヘッドホン装置に本発明の実施形態のリモコン装置を装着した図である。
【図１９】図１８のリモコン装置の内部構成を示す概略ブロック図である。
【符号の説明】
【００９０】
１  携帯電話装置
２  固定型のテレビ受信装置
３  固定型のテレビ受信装置の表示部
４  携帯電話装置の表示パネル
５  下スイッチ
６  上スイッチ
７  イヤホンコネクタ
８  リアコネクタ
３０  リモコン装置
１０７  ＣＰＵ
１１１  赤外線通信部
１１２  画像記憶部
１１６  ブルートゥース（登録商標）通信部
Ｈ２１  ヘッドホン装置
Ｈ２２  装着部
Ｈ２３  フック
Ｈ２４  スプリング式の可動片
Ｈ２７  スピーカ
Ｈ２８  支持部
Ｈ３０  スプリングコネクタ
【図１】
2009246570.tif 000003
【図２】
2009246570.tif 000004
【図３】
2009246570.tif 000005
【図４】
2009246570.tif 000006
【図５】
2009246570.tif 000007
【図６】
2009246570.tif 000008
【図７】
2009246570.tif 000009
【図８】
2009246570.tif 000010
【図９】
2009246570.tif 000011
【図１０】
2009246570.tif 000012
【図１１】
2009246570.tif 000013
【図１２】
2009246570.tif 000014
【図１３】
2009246570.tif 000015
【図１４】
2009246570.tif 000016
【図１５】
2009246570.tif 000017
【図１６】
2009246570.tif 000018
【図１７】
2009246570.tif 000019
【図１８】
2009246570.tif 000020
【図１９】
2009246570.tif 000021